(57)【要約】      （修正有）【課題】防炎性や防滑性、傷防止性に優れ、しかも自由にカットして使用することができる仏具防炎マットを提供する。【解決手段】経机の上面に敷かれるようにして用いられ、ローソク立てや香鉢、花瓶等が載せられる仏具防炎マット１であって、難燃性の樹脂シート１ａに所定の図柄１ｂを印刷する。樹脂シート１ａは、シリコーン製ものや、難燃性のポリ塩化ビニル製のものを用いる。また、樹脂シート１ａへの図柄１ｂの印刷は、シリコーン印刷にて実施する。【選択図】図２
0003165905.tif 000002
【実用新案登録請求の範囲】
【請求項１】
仏壇または経机の上に敷かれて仏具が載せられる仏具防炎マットであって、
難燃性の樹脂シートに所定の図柄を印刷してなることを特徴とする仏具防炎マット。
【請求項２】
前記樹脂シートは、シリコーン製である請求項１に記載の仏具防炎マット。
【考案の詳細な説明】
【技術分野】
【０００１】
本考案は、仏壇や経机の上に敷いてローソク立てや香鉢、花瓶等の仏具を載せて使用するのに好適な仏具防炎マットに関するものである。
【背景技術】
【０００２】
従来、仏壇や経机の上に敷かれる仏具用敷物としては、綿布や人絹布、合成繊維布等の織物に華麗な装飾を施したものが使用されている。そして、この仏具用敷物の上にローソク立等の仏具が載せられる。
【０００３】
上記の仏具用敷物は、可燃性の材料で構成されているため、例えばローソク立てが倒れた場合に、ローソクの炎で燃えて火災を起こす恐れがあるという問題がある。
【０００４】
このような問題の発生を未然に防ぐようにしたものとして、例えば特許文献１にて提案されている冠婚葬祭用織編布がある。
【先行技術文献】
【特許文献】
【０００５】
【特許文献１】特開平１０−１９２１２０号公報
【０００６】
特許文献１に係る冠婚葬祭用織編布は、ガラス繊維を材料に用いて所定の通気度となるように織成あるいは編成されてなるものである。
しかしながら、この冠婚葬祭用織編布では、例えば使用する場所の大きさや形状に適合させるために適当な箇所をカットした場合、そのカットした箇所の繊維が解れて見栄えが悪くなるため、自由にカットして使用することができないという問題点がある。
また、生地がガラス繊維であるため、仏壇や経机、仏具との密着度が低く、仏壇や経机からずり落ちたり、少しの振動や衝撃で仏具の位置がずれたりするという問題点がある。
また、例えば花瓶のような硬くて比較的重量のあるような物を落としてしまったときに、仏壇や経机に傷が付くのを十分に防ぐことができないという問題点がある。
【考案の概要】
【考案が解決しようとする課題】
【０００７】
本考案は、前述のような問題点に鑑みてなされたもので、防炎性や防滑性、傷防止性に優れ、しかも自由にカットして使用することができる仏具防炎マットを提供することを目的とするものである。
【課題を解決するための手段】
【０００８】
前記目的を達成するために、本考案による仏具防炎マットは、
仏壇または経机の上に敷かれて仏具が載せられる仏具防炎マットであって、
難燃性の樹脂シートに所定の図柄を印刷してなることを特徴とするものである（第１考案）。
【０００９】
本考案において、前記樹脂シートは、シリコーン製であるのが好ましい（第２考案）。
【考案の効果】
【００１０】
本考案の仏具防炎マットにおいては、所定の図柄が印刷された難燃性の樹脂シートが用いられる。このため、炎と接しても燃えにくく、仏壇や経机、仏具等との密着度が高く、落下物からの衝撃を効果的に吸収することができる。また、ハサミやカッターで簡単に切ることができ、その切断面も綺麗であり、図柄が損なわれるようなことがない。
本考案の仏具防炎マットによれば、防炎性や防滑性、傷防止性に優れ、しかも自由にカットして使用することができるという効果がある。
【図面の簡単な説明】
【００１１】
【図１】本考案の一実施形態に係る仏具防炎マットの経机での使用例の説明図
【図２】本実施形態の仏具防炎マットの構造説明図
【考案を実施するための形態】
【００１２】
次に、本考案よる仏具防炎マットの具体的な実施の形態について、図面を参照しつつ説明する。
【００１３】
＜仏具防炎マットの使用例の説明：図１参照＞
図１に示されるように、本実施形態の仏具防炎マット１は、経机２の上面に敷かれるようにして用いられる。この経机２に敷かれた仏具防炎マット１の上には、ローソク立て３や香鉢４、花瓶５等の仏具が載せられている。
【００１４】
＜仏具防炎マットの構造説明：図２参照＞
図２に示されるように、仏具防炎マット１は、難燃性の樹脂シート１ａに所定の図柄１ｂを印刷してなるものである。
【００１５】
＜樹脂シートの説明：図２参照＞
樹脂シート１ａとしては、シリコーン製のものが好適に用いられる。なお、樹脂シート１ａとして、やはり難燃性の樹脂であるポリ塩化ビニル製のものも用いることができる。
樹脂シート１ａの上面には、例えば花柄のような図柄１ｂがシリコーン印刷にて描かれている。
【００１６】
＜シリコーン印刷の概略説明：図２参照＞
樹脂シート１ａへの印刷は、粘土の高い特殊なシリコーンインクが使用される。このため、シルクスクリーン印刷法と呼ばれる方法で印刷が実施される。シルクスクリーン印刷法とは、文字や絵などが抜かれたシルク繊維で構成されるシルク版上にシリコーンインクを載せ、印刷対象である樹脂シート１ａの上面に接触させた状態でスキージでなぞることによって印刷を実施する印刷法である。
【００１７】
＜本実施形態の作用効果の説明：図１、図２参照＞
本実施形態の仏具防炎マット１においては、難燃性のシリコーン製の樹脂シート１ａが用いられる。このため、万一、ローソク立て３が倒れてしまった場合に、たとえローソクの炎が仏具防炎マット１と接したとしても燃え広がるようなことはない。
また、樹脂シート１ａは、単位体積当たりの質量が大きいので、薄くても比較的重量があり、その面肌も滑らかであるので、密着度が高い。このため、仏具防炎マット１を経机２に置いたときには、仏具防炎マット１が経机２に強く密着して、経机２からずり落ちるようなことがなく、仏具防炎マット１上に置かれた仏具は、多少の振動や衝撃を受けたとしても位置がずれるようなことがない。
また、花瓶５のような硬くて比較的重量のあるような物を落としてしまった場合でも、その落下物からの衝撃を効果的に吸収することができ、経机２に傷が付くのを十分に防ぐことができる。
また、樹脂シート１ａに所定の図柄１ｂがシリコーン印刷にて印刷されるので、ハサミやカッター等で簡単に切ることができ、その切断面も綺麗であり、図柄１ｂが損なわれるようなことがない。
本考案の仏具防炎マット１によれば、防炎性や防滑性、傷防止性に優れ、しかも自由にカットして使用することができるという効果がある。
【００１８】
＜仏具防炎マットのその他の使用例の説明＞
上記の実施形態においては、経机２に仏具防炎マット１が敷かれる態様例を示したが、これに限定されるものではなく、仏壇に仏具防炎マット１を敷いてその上にローソク立て３や香鉢４、花瓶５等が載せられる態様もあり得る。
【００１９】
以上、本考案の仏具防炎マットについて、一実施形態に基づいて説明したが、本考案は上記実施形態に記載した構成に限定されるものではなく、その趣旨を逸脱しない範囲において適宜その構成を変更することができるものである。
【産業上の利用可能性】
【００２０】
本考案の仏具防炎マットは、防炎性や防滑性、傷防止性に優れ、しかも自由にカットして使用することができるという特性を有していることから、火を使用する仏具の敷物の用途に好適に用いることができる。
【符号の説明】
【００２１】
１    仏具防炎マット
２    経机
３    ローソク立て
４    香鉢
５    花瓶
【図１】
0003165905.tif 000003
【図２】
0003165905.tif 000004